(57)【要約】【課題】記入者の記入内容を好適に再生して表示させることが可能な筆跡再生装置及びプログラムを提供する。【解決手段】受講者用端末３は、ユーザにより指定された１又は複数の再生基準頁の筆跡を再生画面上で再生する。このとき、受講者用端末３は、再生対象期間内での未記入期間を認識し、当該期間を除外して再生を行う。【選択図】図１９
2015102886.tif 000002
【特許請求の範囲】
【請求項１】
記入者が記入した筆跡に関する位置情報及び時刻情報を含む筆跡情報を取得する筆跡情報取得手段と、
前記記入者が記入した筆跡を、前記筆跡情報に基づき、時間軸を基準として再生する再生手段とを有し、
前記再生手段は、前記筆跡情報に基づき、所定時間以上前記記入者による記入がなされていない期間を認識し、当該期間を変更して前記記入者が記入した筆跡を再生することを特徴とする筆跡再生装置。
【請求項２】
前記再生手段は、記入用紙の複数の頁に前記記入者が記入を行った場合、表示する頁を切り替えて前記記入用紙の複数の頁の筆跡を再生することを特徴とする請求項１に記載の筆跡再生装置。
【請求項３】
前記再生手段は、所定の操作を検知した場合に、ユーザにより指定された前記記入用紙の頁の再生開始時点まで、再生基準時点を移動させることを特徴とする請求項２に記載の筆跡再生装置。
【請求項４】
前記再生手段は、記入用紙に記入された筆跡を再生する場合、
ユーザにより指定された前記記入用紙の頁のみに対応する筆跡を再生するモードと、
表示する頁を切り替えて前記記入用紙の複数の頁に対応する筆跡を再生するモードと
の２つの再生モードを外部入力に基づき切り替えることを特徴とする請求項１〜３のいずれか一項に記載の筆跡再生装置。
【請求項５】
前記再生手段は、前記記入者ごとに指定された記入用紙の頁への筆跡を並べて再生するときに、当該頁への筆跡の最初のストロークの再生のタイミングを一致させることを特徴とする請求項１〜４のいずれか一項に記載の筆跡再生装置。
【請求項６】
前記再生手段は、前記記入者が記入した筆跡の再生を開始する前に、再生すべき全筆跡を表示させることを特徴とする請求項１〜５のいずれか一項に記載の筆跡再生装置。
【請求項７】
前記筆跡の再生対象期間の始期と終期とを指定する入力を受け付ける入力受付手段をさらに備えることを特徴とする請求項１〜６のいずれか一項に記載の筆跡再生装置。
【請求項８】
前記再生手段は、前記入力に基づく前記始期又は前記終期の変更により、前記始期及び前記終期により定まる期間に対応しなくなった筆跡の表示を即時に消去することを特徴とする請求項７に記載の筆跡再生装置。
【請求項９】
前記筆跡情報取得手段は、前記記入者が記入する際に使用した電子ペンが生成した記入情報を、前記筆跡情報として取得することを特徴とする請求項１〜８のいずれか一項に記載の筆跡再生装置。
【請求項１０】
記入用紙に記入された筆跡に関する位置情報及び時刻情報を含む筆跡情報を取得する筆跡情報取得手段と、
記入用紙の頁を指定する指定手段と、
前記指定手段により指定された複数の記入用紙の頁に記入された筆跡を、前記筆跡情報に基づき、時間軸を基準として並べて再生する再生手段と、
を有し、
前記再生手段は、並べて再生する筆跡の最初のストロークの再生タイミングを一致させることを特徴とする筆跡再生装置。
【請求項１１】
請求項１〜１０のいずれか一項に記載の筆跡再生装置としてコンピュータを機能させることを特徴とするプログラム。
【発明の詳細な説明】
【技術分野】
【０００１】
本発明は、筆跡を表示する技術に関する。
【背景技術】
【０００２】
従来から、受講者の筆跡情報を集約して表示するシステムが知られている。例えば、特許文献１には、受講者が電子ペンを用いて用紙に記入する都度、電子ペンが記入情報を生成して講師が使用する集約装置に送信し、集約装置が受信した記入情報に基づく各受講者の筆跡を、ディスプレイやスクリーンに表示するシステムが開示されている。また、本発明に関連する技術が特許文献２に記載されている。
【先行技術文献】
【特許文献】
【０００３】
【特許文献１】特許第５０９９５９５号明細書
【特許文献２】特開２０１１−４８０４２号公報
【発明の概要】
【発明が解決しようとする課題】
【０００４】
授業などにおいて、受講生が記入した解答内容を見る際、最終的な解答内容を表示するだけではなく、これらの解答を作成する過程を視認できると便宜である。そこで、本発明は、記入者の記入内容を好適に再生して表示させることが可能な筆跡再生装置及びプログラムを提供することを主な目的とする。
【課題を解決するための手段】
【０００５】
本発明の１つの観点では、筆跡再生装置は、記入者が記入した筆跡に関する位置情報及び時刻情報を含む筆跡情報を取得する筆跡情報取得手段と、前記記入者が記入した筆跡を、前記筆跡情報に基づき、時間軸を基準として再生する再生手段とを有し、前記再生手段は、前記筆跡情報に基づき、前記所定時間以上前記記入者による記入がなされていない期間を認識し、当該期間を変更して前記記入者が記入した筆跡を再生する。
【０００６】
上記筆跡再生装置は、筆跡情報取得手段と、再生手段とを有する。筆跡情報取得手段は、記入者が記入した筆跡に関する位置情報及び時刻情報を含む筆跡情報を取得する。再生手段は、記入者が記入した筆跡を、筆跡情報に基づき、時間軸を基準として再生する。そして、再生手段は、筆跡情報に基づき、所定時間以上記入者による記入がなされていない期間を認識し、当該期間を変更して記入者が記入した筆跡を再生する。ここで、「所定時間」とは、０秒以上の時間幅（時間長）を指し、記入者ごとに異なる時間幅に設定されてもよい。また、「期間を変更して再生する」ことは、例えば、当該期間が短くなるように再生することを指す。このようにすることで、筆跡再生装置は、ストロークが再生されない不要な再生時間を省き、記入内容の作成過程を好適にユーザに確認させることができる。
【０００７】
上記筆跡再生装置の他の一態様では、前記再生手段は、記入用紙の複数の頁に前記記入者が記入を行った場合、表示する頁を切り替えて前記記入用紙の複数の頁の筆跡を再生する。これにより、筆跡再生装置は、複数の頁に記入された記入用紙への記入内容を、ユーザに好適に確認させることができる。
【０００８】
上記筆跡再生装置の他の一態様では、前記再生手段は、所定の操作を検知した場合に、ユーザにより指定された前記記入用紙の頁の再生開始時点まで、再生基準時点を移動させる。この態様により、筆跡再生装置は、複数の頁に記入された記入用紙への筆跡を再生する場合であっても、ユーザの操作に基づき、ユーザが指定した頁の再生開始時点まで再生基準時点を移動させることができる。
【０００９】
上記筆跡再生装置の他の一態様では、前記再生手段は、記入用紙に記入された筆跡を再生する場合、ユーザにより指定された前記記入用紙の頁のみに対応する筆跡を再生するモードと、表示する頁を切り替えて前記記入用紙の複数の頁に対応する筆跡を再生するモードとの２つの再生モードを外部入力に基づき切り替える。この態様により、ユーザは、記入用紙の複数の頁に記入された筆跡を再生する場合に、指定した頁のみを対象に再生を行うか、複数の頁にわたり再生を行うかを選択することができる。
【００１０】
上記筆跡再生装置の他の一態様では、前記再生手段は、前記記入者ごとに指定された記入用紙の頁への筆跡を並べて再生するときに、当該頁への筆跡の最初のストロークの再生のタイミングを一致させる。この態様により、筆跡再生装置は、一方の記入者の筆跡の再生が始まっているにも関わらず、他方の記入者の筆跡の再生が始まらないという事態を好適に防ぐことができる。
【００１１】
上記筆跡再生装置の他の一態様では、前記再生手段は、前記記入者が記入した筆跡の再生を開始する前に、再生すべき全筆跡を表示させる。この態様により、筆跡再生装置は、再生対象となる筆跡を予めユーザに確認させることができる。
【００１２】
上記筆跡再生装置の他の一態様では、筆跡再生装置は、前記筆跡の再生対象期間の始期と終期とを指定する入力を受け付ける入力受付手段をさらに備える。この態様により、ユーザは、好適に、再生対象の期間を指定して当該期間内での筆跡を再生させることができる。
【００１３】
上記筆跡再生装置の他の一態様では、前記再生手段は、前記入力に基づく前記始期又は前記終期の変更により、前記始期及び前記終期により定まる期間に対応しなくなった筆跡の表示を即時に消去する。これにより、ユーザが関心ない筆跡部分を好適に消去することができる。
【００１４】
上記筆跡再生装置の他の一態様では、前記筆跡情報取得手段は、前記記入者が記入する際に使用した電子ペンが生成した記入情報を、前記筆跡情報として取得する。この態様により、筆跡再生装置は、記入者が電子ペンにより記入した筆跡を好適に再生することができる。
【００１５】
本発明の他の観点では、筆跡再生装置は、記入用紙に記入された筆跡に関する位置情報及び時刻情報を含む筆跡情報を取得する筆跡情報取得手段と、記入用紙の頁を指定する指定手段と、前記指定手段により指定された複数の記入用紙の頁に記入された筆跡を、前記筆跡情報に基づき、時間軸を基準として並べて再生する再生手段と、を有し、前記再生手段は、並べて再生する筆跡の最初のストロークの再生タイミングを一致させる。これにより、筆跡再生装置は、一方の記入用紙の頁の筆跡の再生が始まっているにも関わらず、他方の記入用紙の頁の筆跡の再生が始まらないという事態を好適に防ぐことができる。
【００１６】
本発明に係るプログラムは、上記記載のいずれか一つの筆跡再生装置としてコンピュータを機能させる。これらのプログラムをコンピュータにインストールして機能させることで、本発明に係る筆跡再生装置を構成させることができる。
【発明の効果】
【００１７】
本発明によれば、筆跡再生装置は、記入者による記入がなされていない期間を認識し、当該期間を変更して記入者が記入した筆跡を再生することで、解答などの作成過程を好適にユーザに確認させることができる。
【００１８】
また、指定された記入用紙の頁への筆跡を並べて再生するときに、当該頁への筆跡の最初のストロークの再生のタイミングを一致させることで、一方の筆跡の再生が始まっているにも関わらず、他方の筆跡の再生が始まらないという事態を好適に防ぐことができる。
【図面の簡単な説明】
【００１９】
【図１】第１及び第２実施形態に係る表示システムの構成を示す。
【図２】解答用紙の上面図を示す。
【図３】電子ペン、解答用紙と受講者（記入者）の対応を示す図である。
【図４】ドットパターンのドットと、そのドットが変換される値との関係を示す。
【図５】（ａ）は、ドットパターンを模式的に示し、（ｂ）は、それに対応する情報の例を示す図である。
【図６】電子ペンの構造を示す概略図である。
【図７】受講者用端末の機能ブロック図である。
【図８】講師用端末の機能ブロック図である。
【図９】ユーザＩＤと、受講者名と、電子ペンのペンＩＤとを関連付けた情報のデータ構造の一例を示す。
【図１０】受講者「太郎」の解答用紙への記入内容を個別に表示した個別表示画面を示す筆跡表示ウィンドウの表示例である。
【図１１】各受講者の記入内容を一覧表示した一覧表示画面を示す筆跡表示ウィンドウの表示例である。
【図１２】一覧表示画面を示す筆跡表示ウィンドウ上で、再生画面で表示させたい解答内容を指定する操作の概要を示す図である。
【図１３】図１２に示す操作に基づき表示する再生画面を示す。
【図１４】受講者「太郎」の各頁への記入時間を示すグラフである。
【図１５】受講者「太郎」、「次郎」の各頁への記入時間を示すグラフである。
【図１６】本発明に適用可能な受講者、電子ペン、解答用紙、及び受講者用端末の割り当ての例を示す。
【図１７】変形例に係る表示システムの構成例を示す。
【図１８】変形例に係る再生画面の表示例を示す。
【図１９】受講者「太郎」の各頁への記入時間を示すグラフである。
【図２０】受講者「太郎」、「次郎」の各頁への記入時間を示すグラフである。
【発明を実施するための形態】
【００２０】
以下、図面を参照しながら、本発明を実施するのに好適な実施形態について説明する。
【００２１】
＜第１実施形態＞
［表示システムのシステム構成］
図１は、第１実施形態における表示システムのシステム構成図である。図１に示すように、表示システムは、各受講者が授業などに使用する電子ペン１（１Ａ、１Ｂ、１Ｃ、…）、解答用紙（記入用紙）２（２Ａ、２Ｂ、２Ｃ、…）及び受講者用端末３（３Ａ、３Ｂ、３Ｃ、…）と、講師が使用する講師用端末４と、受講者用端末３と講師用端末４との間に接続された無線ＬＡＮルータなどの転送装置５とを備える。そして、表示システムは、受講者が電子ペン１により解答用紙２に記入した筆跡を、当該受講者が使用する受講者用端末３に一旦表示した上で、その筆跡を示すデータを講師用端末４に集約させる。
【００２２】
なお、図１の例では、電子ペン１は、記入した情報を、当該電子ペン１が予め登録された各受講者用端末３へＢｌｕｅｔｏｏｔｈ（登録商標）により送信する。また、受講者用端末３と転送装置５とのデータのやりとりは、ＷｉＦｉ（登録商標）により規定されたＴＣＰ／ＩＰを用いた無線通信方式で行われる。
【００２３】
以下、表示システムの各構成要素について説明する。
【００２４】
（１）解答用紙
図２を参照して解答用紙（記入用紙）２について説明する。図２に示すように、受講者ごとに複数枚の解答用紙２が一組用意され、同じ組の解答用紙２には、それぞれ異なる座標範囲のドットパターン（コード化パターン）が印刷される。また、解答用紙２には、マス目が印刷されている。ドットパターンは、赤外線を吸収するカーボンを含んだインキにより印刷され、マス目は、赤外域に吸収性を持たないインキにより印刷される。なお、解答用紙２には、マス目に代えて又はこれに加えて、記入欄や問題や解答欄等が印刷されていても良い。
【００２５】
なお、電子ペン１、解答用紙２と受講者（記入者）の対応等については、本実施形態では、図３に示すように、受講者「太郎」が、電子ペン１Ａを用いて解答用紙２Ａに解答し、受講者「次郎」が、電子ペン１Ｂを用いて解答用紙２Ｂに解答し、受講者「三郎」が、電子ペン１Ｃを用いて解答用紙２Ｃに解答し、受講者「四郎」が、電子ペン１Ｄを用いて解答用紙２Ｄに解答し、受講者「五郎」が、電子ペン１Ｅを用いて解答用紙２Ｅに解答するものとする。また、講師「花子」が、講師用端末４を操作し、受講者「太郎」、「次郎」、「三郎」、「四郎」、「五郎」が図示しない受講者用端末３Ａ〜３Ｅを操作するものとする。
【００２６】
（２）ドットパターン
次に、図４と図５を参照しながら、解答用紙２に印刷されたアノト方式のドットパターン（コード化パターン）について説明する。図４は、解答用紙２に印刷されたドットパターンのドットと、そのドットが変換される値との関係を説明する図である。図４に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、用紙上の位置座標が決定されるように構成されている。
【００２７】
図５（ａ）は、あるドットパターンの配列を示している。図５（ａ）に示すように、縦横約２ｍｍの範囲内に６×６個のドットが、用紙上のどの部分から６×６ドットを取っても、ユニークなパターンとなるように配置されている。これら３６個のドットにより形成されるドットパターンは位置座標（例えば、そのドットパターンが解答用紙２上のどの位置にあるのか）を保持している。図５（ｂ）は、図５（ａ）に示す各ドットを、格子の基準位置からのシフト方向によって、図４に示す規則性に基づいて、対応づけられた値に変換したものである。この変換は、ドットパターンの画像を撮影する電子ペン１によって行われる。
【００２８】
（３）電子ペン
次に、電子ペン１について図６を用いて説明する。図６は、電子ペン１の構造を示す概略図である。図６に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端は、ペン先部１０３となっており、各受講者は、電子ペン１のペン先部１０３を、解答用紙２に当接させてストローク（手書きストローク）を記入する。インクカートリッジ１０４のインクは、赤外線を吸収する材料（例えばカーボン）を含まないようにする。ここで、電子ペン１のペン先部１０３が用紙に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００２９】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、受講者が電子ペン１により解答用紙２に文字やマークを書いたりタップしたりする際にペン先部１０３からインクカートリッジ１０４を通じて与えられる圧力、即ち筆圧を検出し、その値をプロセッサ１０８へ伝送する。
【００３０】
プロセッサ１０８は、圧力センサ１０７から与えられる筆圧データに基づいて、ＬＥＤ１０５及びＣＭＯＳカメラ１０６のスイッチのオン／オフを切り替える。即ち、受講者が電子ペン１で解答用紙２に文字などを書くと、ペン先部１０３に筆圧がかかり、圧力センサ１０７によって所定値以上の筆圧が検出されたときに、プロセッサ１０８は、受講者が記入を開始したと判定して、ＬＥＤ１０５及びＣＭＯＳカメラ１０６を作動させる。そして、受講者が１つのストロークを記入し終えて電子ペン１を解答用紙２から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として受講者用端末３へ送信する。
【００３１】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、解答用紙２上のペン先部１０３近傍に向けて赤外線を照明する。その領域は、ペン先部１０３が解答用紙２に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、カーボンを含むドットの領域とそれ以外の領域を区別することができる。したがって、解答用紙２に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図５（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３２】
プロセッサ１０８は、受講者の記入が行われる間、ＣＭＯＳカメラ１０６によって供給される画像データのドットパターンから、受講者が記入するストローク（筆跡）の解答用紙２上におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図５（ａ）に示されるようなドットパターンの画像データを図５（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算に利用されている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、解答用紙２における６×６のドットパターンは、解答用紙２内で重複することはないため、受講者が電子ペン１で文字等を記入すると、記入された位置が解答用紙２のどの位置に当たるかを、プロセッサ１０８による座標演算により特定することができる。
【００３３】
メモリ１０９には、各電子ペン１Ａ〜１Ｅを識別するためのそれぞれのペンＩＤ「ｐｅｎ０１」〜「ｐｅｎ０５」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として受講者用端末３へ送信する。通信ユニット１１１による受講者用端末３への送信は、Ｂｌｕｅｔｏｏｔｈ（登録商標）などの無線送信によって、即時的かつ逐次的に行われる。ここで、電子ペン１のペンダウンからペンアップまでの間に生成されて受講者用端末３に送信された１個又は複数個の座標属性情報は、受講者用端末３によりストローク情報として記憶される。換言すると、１つのストロークは、１個又は複数個のＸ、Ｙ座標（座標点）からなり、受講者用端末３は、ペンダウン情報及びペンアップ情報によって、１つのストロークを構成する１個又は複数個の座標属性情報を認識する。
【００３４】
また、各電子ペン１Ａ〜１Ｅは、ペアリング操作により、各電子ペン１Ａ〜１Ｅの使用者が使用する受講者用端末３Ａ〜３Ｅと認証キーであるパスキーなどの情報交換を予め行っており、Ｂｌｕｅｔｏｏｔｈ通信の通信相手としてその受講者用端末３を認識している。そして、各電子ペン１Ａ〜１Ｅは、受講者が解答用紙２に記入する都度、記入情報を生成して、受講者用端末３へ送信する。言い換えると、各電子ペン１Ａ〜１Ｅは、受講者が解答用紙２に記入し続けている間、記入情報を生成し、受講者用端末３へ送信し続ける。そして、受講者が電子ペン１を解答用紙２から離す（ペンアップする）と、当該電子ペン１は、圧力センサ１０７で所定値以上の筆圧が検出されなくなったことにより、受講者が記入を停止したと判定する。そして、この場合、ペンアップされた電子ペン１は、ＬＥＤ１０５とＣＭＯＳカメラ１０６を停止して、受講者用端末３への記入情報の送信を中止する。
【００３５】
（４）受講者用端末
次に、受講者用端末３について説明する。受講者用端末３は、ハードウェアとして、電子ペン１とのデータ通信が可能なアンテナ装置、ＣＰＵ等のプロセッサ、ＲＯＭやＲＡＭといったメモリ、ディスプレイ、タッチパネル等で構成される。なお、本実施形態では、受講者用端末３は、各受講者に配布されるｉＰａｄ（登録商標）などのタブレット型端末であるものとする。
【００３６】
図７は、受講者用端末３の機能ブロック図である。受講者用端末３は、機能的には、タッチパネルなどの入力部３１、通信部３２、記憶部３３、処理部３４、及び表示部３６を備える。通信部３２は、アンテナ受信回路等により構成され、電子ペン１から記入情報を受信したり、講師用端末４と転送装置５を介して所定のデータの授受を行ったりする。表示部３６は、ディスプレイ等によって構成され、処理部３４によって指示された内容を表示する。
【００３７】
処理部３４は、ＣＰＵ等のプロセッサによって構成され、記憶部３３に記憶されたプログラムを実行することで、受講者用端末３の全体の制御を行う。
【００３８】
例えば、処理部３４は、通信部３２の通信制御を行う。具体的には、処理部３４は、通信部３２を介して、ペアリング操作がなされた電子ペン１から送信された記入情報を受信する。また、処理部３４は、電子ペン１から受信した記入情報から生成したストローク情報を、通信部３２により講師用端末４に送信する。さらに、処理部３４は、別の受講者用端末３が生成したストローク情報又はこれと同等な他の受講者の筆跡を表示するための情報（これらを「他者筆跡情報」とも呼ぶ。）を、通信部３２により講師用端末４から受信する。なお、他者筆跡情報には、ストローク情報と同様に、筆跡を示すストロークを構成する各座標位置に対応付けられた時刻情報（タイムスタンプ）が含まれている。ストローク情報及び他者筆跡情報は、本発明における「筆跡情報」の一例である。
【００３９】
また、処理部３４は、受講者用端末３の使用者である受講者が解答用紙２へ記入した筆跡や他の受講者が解答用紙２へ記入した筆跡を表示するためのウィンドウ（「筆跡表示ウィンドウ」とも呼ぶ。）を表示部３６に表示させる。この場合、処理部３４は、電子ペン１から送信された記入情報に基づくストローク情報と、講師用端末４から受信した他者筆跡情報とに基づき、筆跡表示ウィンドウに各受講者の筆跡を表示させる。このとき、処理部３４は、他の受講者用端末３及び講師用端末４が表示する内容に関わらず、入力部３１により検知した操作に応じた内容を示す筆跡表示ウィンドウを表示する。筆跡表示ウィンドウの具体的な機能については、［筆跡表示ウィンドウ］のセクションで詳しく説明する。
【００４０】
記憶部３３は、ＲＯＭやＲＡＭといったメモリによって構成される。記憶部３３は、解答用紙２の各頁に印刷されたドットパターンが示す座標範囲の情報（「座標定義情報」とも呼ぶ。）を記憶する。また、記憶部３３は、ペアリング操作がなされた電子ペン１のペンＩＤ、講師用端末４の通信アドレス、及び処理部３４が所定の処理を実行するのに必要なプログラム等を予め記憶している。さらに、記憶部３３は、処理部３４の処理命令により、電子ペン１から受信した記入情報を、ストローク情報としてペンＩＤ毎に記憶する。
【００４１】
なお、処理部３４及び表示部３６は、本発明における「再生手段」の一例であり、通信部３２及び処理部３４は、本発明における「筆跡情報取得手段」の一例である。また、入力部３１及び処理部３４は、本発明における「入力受付手段」の一例である。
【００４２】
（５）講師用端末
次に、講師用端末４について説明する。講師用端末４は、ハードウェアとして、電子ペン１とのデータ通信が可能なアンテナ装置、ＣＰＵ等のプロセッサ、ＲＯＭやＲＡＭといったメモリ、ディスプレイ、タッチパネル等で構成される。講師用端末４は、例えばノートＰＣ等である。
【００４３】
図８は、講師用端末４の機能ブロック図である。講師用端末４は、機能的には、マウスやキーボードなどの入力部４１、通信部４２、記憶部４３、処理部４４、及び表示部４６を備える。通信部４２は、アンテナ受信回路等により構成され、受講者用端末３と転送装置５を介して所定のデータの授受を行ったりする。表示部４６は、ディスプレイ等によって構成され、処理部４４によって指示された内容を表示する。
【００４４】
処理部４４は、ＣＰＵ等のプロセッサによって構成され、記憶部４３に記憶されたプログラムを実行することで、講師用端末４の全体の制御を行う。例えば、処理部４４は、通信部４２の通信制御を行う。具体的には、処理部４４は、各受講者用端末３からストローク情報を通信部４２により受信し、記憶部４３に記憶する。また、処理部４４は、受講者用端末３からの要求に応じ、受講者用端末３が所定の表示を行うのに必要な他者筆跡情報を、通信部４２により受講者用端末３へ送信する。また、処理部４４は、各受講者用端末３から受信したストローク情報に基づき、各受講者が解答用紙２へ記入した筆跡を、筆跡表示ウィンドウ上に表示させる。
【００４５】
記憶部４３は、ＲＯＭやＲＡＭといったメモリによって構成される。記憶部４３は、解答用紙２の各頁に印刷されたドットパターンに関する座標定義情報を記憶する。また、記憶部４３は、各電子ペン１のペンＩＤと、当該電子ペン１を使用する受講者の情報とを関連付けた情報を記憶する。図９は、各受講者を示すユーザＩＤと、受講者名と、当該受講者が使用する電子ペン１のペンＩＤとを関連付けた情報のデータ構造の一例を示す。図９の例では、受講者「太郎」、「次郎」、「三郎」、「四郎」及び「五郎」に対応するユーザＩＤ、受講者名及び電子ペン１のペンＩＤがそれぞれ関連付けられている。また、記憶部４３は、処理部４４が所定の処理を実行するのに必要なプログラムや、入力部４１への入力等に基づき生成された筆跡表示ウィンドウの表示に関する設定情報等を予め記憶している。また、記憶部４３は、処理部４４の処理命令により、電子ペン１から受信したストローク情報を、他者筆跡情報として、受講者のユーザＩＤ毎又はペンＩＤ毎に記憶する。
【００４６】
なお、処理部４４及び表示部４６は、本発明における「再生手段」の一例であり、通信部４２及び処理部４４は、本発明における「筆跡情報取得手段」の一例である。また、入力部４１及び処理部４４は、本発明における「入力受付手段」の一例である。
【００４７】
［筆跡表示ウィンドウ］
次に、受講者用端末３及び講師用端末４が表示する筆跡表示ウィンドウについて説明する。以後では、一例として、受講者「太郎」が使用する受講者用端末３Ａが表示する筆跡表示ウィンドウを対象に説明を行う。なお、上述したように、各受講者用端末３の処理部３４及び講師用端末４の処理部４４は、各操作者による操作に応じて、筆跡表示ウィンドウの表示制御をそれぞれ独立して行う。
【００４８】
（１）個別表示画面
図１０は、受講者用端末３Ａの使用者である受講者「太郎」の解答用紙２への記入内容を個別に表示した画面（「個別表示画面」とも呼ぶ。）を示す筆跡表示ウィンドウの表示例である。図１０に示すように、筆跡表示ウィンドウは、解答再現エリア５１及び背景エリア５２を有するメイン表示エリア５０と、受講者選択リスト「ＭＬ」を表示するためのリスト表示エリア５３と、ボタン表示エリア５４と、通信状態表示エリア５５、５６とを有する。
【００４９】
解答再現エリア５１は、受講者が電子ペン１により解答用紙２へ記入した筆跡を再現した画像を表示するためのエリアである。図１０の例では、処理部３４は、電子ペン１Ａから受信した記入情報に基づくストローク情報を用いて、解答再現エリア５１に、受講者用端末３Ａの使用者である受講者「太郎」が解答用紙２Ａに記入した筆跡を描画している。なお、処理部３４は、後述する受講者選択リストＭＬから受講者「太郎」以外の受講者が選択された場合、選択された受講者に対応する他者筆跡情報を講師用端末４から受信することで、選択された受講者が解答用紙２に記入した筆跡を解答再現エリア５１に描画する。背景エリア５２は、解答再現エリア５１の背景となるエリアである。
【００５０】
リスト表示エリア５３に表示される受講者選択リストＭＬは、解答再現エリア５１に解答内容の筆跡を表示する対象となる受講者を選択するためのリストであり、講師用端末４に登録された各受講者の名前を示す氏名欄５３０と、当該受講者が属するグループ番号を示すグループ番号欄５３１とを有する。図１０の例では、グループ番号は、受講者ごとに異なる番号が割り振られている。処理部３４は、リスト表示エリア５３に表示すべき情報を、筆跡表示ウィンドウの起動時に講師用端末４から取得することで、リスト表示エリア５３内に受講者選択リストＭＬを表示する。
【００５１】
ボタン表示エリア５４には、新規作成ボタン６１と、保存ボタン６２と、開くボタン６３と、再生画面表示ボタン６４と、が設けられている。新規作成ボタン６１は、ストローク情報及び他者筆跡情報が反映されていない新規の筆跡表示ウィンドウを表示するためのボタンである。保存ボタン６２は、現在表示されている筆跡表示ウィンドウを後で再現して表示するために必要な情報をファイル形式で保存するためのボタンである。開くボタン６３は、保存ボタン６２によりファイル形式で保存された任意のファイルをユーザに選択させ、選択されたファイルに基づき筆跡表示ウィンドウを表示するためのボタンである。再生画面表示ボタン６４は、解答再現エリア５１に表示中の解答用紙２の頁を対象に再生を開始するための再生画面を表示するためのボタンである。再生画面の詳細については後述する。
【００５２】
通信状態表示エリア５５は、受講者用端末３ＡのＩＰアドレス（１９２．１６８．０．１０）と、その通信先である講師用端末４のＩＰアドレス（１９２．１６８．０．１１２）とを対応付けて表示するエリアである。また、通信状態表示エリア５６は、受講者用端末３Ａと現在通信を確立している電子ペン１の本数（図１０では１本）を表示するエリアである。
【００５３】
ここで、筆跡表示ウィンドウの機能についてさらに補足説明する。
【００５４】
各受講者は、筆跡表示ウィンドウ上で、自己に割り振られたグループ番号を変更することが可能である。例えば、受講者用端末３Ａは、使用者「太郎」に対応する「１」と表示されたグループ番号欄５３１へのタッチ操作を検知した場合、変更可能な新たなグループ番号の候補を表示し、その中のいずれかをさらにタッチ操作により選択させる。そして、受講者用端末３Ａは、グループ番号の変更を受け付けた場合には、グループ番号の変更内容を示す設定情報を講師用端末４に送信する。
【００５５】
また、受講者選択リストＭＬに関し、処理部３４は、受講者用端末３Ａの使用者である受講者「太郎」の名前欄５３０の色（図１０では白）と、受講者用端末３Ａの使用者でない他の受講者の名前欄５３０の色（図１０では赤）とを異ならせている。これにより、処理部３４は、受講者選択リストＭＬ上で、受講者用端末３Ａを使用する受講者とそれ以外の受講者とを明確に区別することができる。さらに、受講者選択リストＭＬでは、処理部３４は、解答再現エリア５１で筆跡が表示される対象となっている受講者（ここでは太郎）の行を強調表示する。
【００５６】
また、好適には、受講者用端末３Ａは、筆跡表示ウィンドウを表示するためのアプリケーションを起動し、講師用端末４と通信を確立したときに、講師用端末４が記憶する設定情報を講師用端末４から自動的に取得し、表示させる筆跡表示ウィンドウにその設定情報を反映させるとよい。上述の設定情報は、例えば、背景エリア５２に表示すべき背景画像、前回の授業で生成されたストローク情報などの授業データ、受講者選択リストＭＬの各受講者名やグループ番号等が該当する。また、受講者用端末３Ａは、上述の設定情報の自動での取得及び反映の処理が失敗した場合であっても、所定の操作を検知した場合には、再び設定情報の取得及び反映の処理を実行する。
【００５７】
（２）一覧表示画面
図１１は、各受講者の記入内容を一覧表示した画面（「一覧表示画面」とも呼ぶ。）を示す筆跡表示ウィンドウの表示例である。例えば、処理部３４は、所定の操作（例えばタッチパネル上で２本の指を接触させながら近付ける操作等）を検出した場合に、図１０に示す画面から図１１に示す画面に切り替える。
【００５８】
図１１に示すように、処理部３４は、記憶部３３に記憶したストローク情報と、講師用端末４から受信した他者筆記情報とに基づき、筆跡表示ウィンドウ上に、各受講者に対する解答内容を示す解答再現エリア５１Ａ〜５１Ｄを二列に並べて表示している。なお、図１１の例では、解答再現エリア５１Ｃ〜５１Ｄの一部と、五郎に対応する解答再現エリア５１とが、受講者用端末３Ａの画面サイズの関係上、一時的に非表示になっている。処理部３４は、例えば、メイン表示エリア５０上で指を接触させたまま上にスライドさせる操作（即ちスクロール操作）をタッチパネルにより検知した場合、上述の非表示部分が表示されるように、メイン表示エリア５０の表示対象範囲をスライドさせる。
【００５９】
また、受講者が解答用紙２の複数頁にわたり記入した場合には、処理部３４は、記入された解答用紙２の各頁に対応する解答再現エリア５１を各受講者に対して表示させる。例えば、受講者「太郎」が解答用紙２Ａの第２頁目に電子ペン１Ａにより記入を行った場合、処理部３４は、解答用紙２Ａの第２頁への筆跡を表す解答再現エリア５１を、解答用紙２Ａの第１頁への筆跡を表す解答再現エリア５１Ａの直下に表示する。なお、この表示態様に代えて、処理部３４は、受講者ごとに、解答用紙２の各頁に対応する解答再現画像（解答再現エリア５１）を重ねて表示してもよい。この場合、処理部３４は、受講者ごとに重ねられた解答再現画像のうち、最前面にある解答再現画像を全体表示し、かつ、図示しない進むボタンや戻るボタンへの操作に基づき、最前面に配置する解答再現画像を適宜入れ替える。
【００６０】
また、処理部３４は、表示中の解答再現エリア５１Ａ〜５１Ｄに対応付けて、解答者である受講者名が表示されたタイトル表示欄６５Ａ〜６５Ｄを、メイン表示エリア５０上に表示させている。このとき、処理部３４は、各タイトル表示欄６５Ａ〜６５Ｄを、受講者選択リストＭＬの名前欄５３０の色と同一色により着色させている。即ち、処理部３４は、受講者用端末３Ａの使用者である受講者「太郎」の解答再現エリア５１Ａに対応するタイトル表示欄６５Ａの色（図１１では白）と、受講者用端末３Ａの使用者でない他の受講者の解答再現エリア５１Ｂ〜５１Ｄに対応するタイトル表示欄６５Ｂの色（図１１では赤）とを異ならせている。なお、処理部３４は、タイトル表示欄６５Ａ〜６５Ｄに加えて、解答再現エリア５１Ａ〜５１Ｄに表示されたストロークの色についても同様に、受講者選択リストＭＬの名前欄５３０の色と同一色により着色させてもよい。
【００６１】
（３）再生画面
次に、再生画面表示ボタン６４の押下に基づき表示する再生画面について説明する。受講者用端末３Ａは、再生画面では、筆跡の描画に使用するストローク情報及び他者筆跡情報に含まれる時刻情報に基づき、時間軸を基準として、操作により指定された解答用紙２の頁への筆跡の再生を行う。
【００６２】
まず、再生画面で表示させたい解答内容を、再生画面表示ボタン６４を用いて指定する操作例について、図１２を参照して説明する。図１２は、一覧表示画面を示す筆跡表示ウィンドウ上で、再生画面で筆跡を再生させる解答用紙２の頁を指定する操作の概要を示す図である。
【００６３】
まず、受講者「太郎」は、再生画面で表示させたい解答内容を示す任意の解答再現エリア５１の少なくとも１つをタッチ操作により選択する。ここでは、受講者「太郎」は、受講者「次郎」が記入した解答用紙２Ｂの第１頁への筆跡を示す解答再現エリア５１Ｂと、受講者「三郎」が記入した解答用紙２Ｃの第１頁への筆跡を示す解答再現エリア５１Ｃとをタッチ操作により選択している。この場合、処理部３４は、解答再現エリア５１Ｂ、５１Ｃがタッチされたことを検知し、タッチされた解答再現エリア５１Ｂ、５１Ｃの外枠を強調表示することで、これらの解答再現エリア５１Ｂ、５１Ｃを選択状態とする。
【００６４】
次に、受講者「太郎」は、再生画面表示ボタン６４をタッチ操作により選択する。この場合、処理部３４は、再生画面表示ボタン６４がタッチされたことを検知し、選択状態となっている解答再現エリア５１Ｂ、５１Ｃが示す解答内容を並べて表示した再生画面を筆跡表示ウィンドウに表示させる。
【００６５】
図１３は、図１２に示す操作に基づき表示する再生画面を示す。図１３に示す再生画面は、主に、メイン表示エリア５０内に設けられた再生エリア５７Ａ、５７Ｂ（５７）と、再生用操作エリア５８とを有する。
【００６６】
再生エリア５７は、再生画面表示ボタン６４の押下時に選択状態となっていた解答再現エリア５１ごとに設けられ、各解答再現エリア５１に対応する解答用紙２の頁（「再生基準頁」とも呼ぶ。）に記入された筆跡の再生を行うエリアである。図１３の例では、再生エリア５７Ａの再生基準頁は、受講者「次郎」の解答用紙２Ｂの第１頁であり、再生エリア５７Ｂの再生基準頁は、受講者「三郎」の解答用紙２Ｃの第１頁である。さらに、処理部３４は、各再生エリア５７Ａ、５７Ｂの下に、各再生エリア５７Ａ、５７Ｂに描かれる筆跡を記入した受講者（「再生対象受講者」とも呼ぶ。）の名前を表示する。また、処理部３４は、再生対象受講者の名称の右側には、再生基準頁に実際に記入された全ストローク数に対する表示中のストローク数を表示する。
【００６７】
また、処理部３４は、再生画面を表示した直後では、図１３に示すように、再生基準頁への筆跡を全て表示した状態で、それぞれ再生エリア５７Ａ、５７Ｂを表示させている。このように、処理部３４は、再生を行う前に、これから再生させる全筆跡を予め表示させることで、再生の対象となる筆跡をユーザに好適に確認させることができる。そして、処理部３４は、後述する再生ボタン８２が押下されたことを検知した場合、再生エリア５７に表示したストロークを全て消去した上で、再生基準頁に記入された筆跡の再生を開始する。
【００６８】
次に、再生用操作エリア５８に設けられた各ボタン等の機能について説明する。
【００６９】
まず、頁移動切替ボタン８９について説明する。頁移動切替ボタン８９は、タッチ操作によりオン状態とオフ状態とを切替可能なボタンであって、処理部３４は、頁移動切替ボタン８９がオフ状態の場合には、再生対象受講者が再生基準頁へ記入した筆跡のみを対象とした再生を行う。即ち、図１３の例では、処理部３４は、受講者「次郎」の解答用紙２Ｂの第１頁への筆跡と、受講者「三郎」の解答用紙２Ｃの第１頁への筆跡とを対象とした再生を、それぞれ再生エリア５７Ａ、５７Ｂ上で行う。一方、頁移動切替ボタン８９がオン状態の場合には、処理部３４は、再生対象受講者が解答用紙２に記入した全頁の筆跡を対象に再生を行う。即ち、処理部３４は、受講者「次郎」が電子ペン１Ｂにより解答用紙２Ｂに記入した全頁の筆跡の再生、及び受講者「三郎」が電子ペン１Ｃにより解答用紙２Ｃに記入した全頁の筆跡の再生を、それぞれ再生エリア５７Ａ、５７Ｂ上で行う。なお、図１３は、頁移動切替ボタン８９がオフ状態の場合を示しているものとする。
【００７０】
再生バー８０は、再生の対象となる期間（「再生対象期間」とも呼ぶ。）を棒状に示した表示である。再生ポインタ８１は、再生バー８０上で、再生の対象となる時点（「再生対象時点」とも呼ぶ。）の位置を示す。頁移動切替ボタン８９がオフ状態である図１３の例では、再生対象期間は、各再生エリア５７に表示される再生基準頁の全筆跡を再生するのに必要な期間（１２５５秒間）に設定されている。なお、頁移動切替ボタン８９がオン状態の場合には、再生対象期間は、解答用紙２Ｂ、２Ｃの全頁の筆跡を再生するのに必要な期間に設定される。
【００７１】
次に、各操作ボタン８２〜８７について説明する。再生ボタン８２が押下された場合、処理部３４は、各再生エリア５７での再生基準頁への筆跡の再生を開始する。このとき、処理部３４は、再生バー８０上の再生ポインタ８１を、時間経過に応じてリアルタイムに右方向に遷移させ、再生バー８０上の再生ポインタ８１が示す再生対象時点における電子ペン１の筆跡を各再生エリア５７Ａ、５７Ｂに表示させる。また、この場合、後述するように、処理部３４は、再生エリア５７に表示される各再生基準頁の最初のストロークの再生タイミングが同時になるように同期処理を行う。なお、再生ボタン８２が押下された場合、再生ボタン８２は一時停止ボタンに切り替わる。
【００７２】
最初に戻るボタン８３が押下された場合、処理部３４は、再生ポインタ８１が再生バー８０の左端位置になる時点まで、再生対象時点を戻す。１ストローク戻るボタン８４が押下された場合、処理部３４は、直前に描画した又は描画途中の１ストローク分の時間幅だけ再生対象時点を戻す。なお、図１３に示すように複数の再生エリア５７（５７Ａ、５７Ｂ）が存在する場合には、処理部３４は、再生エリア５７Ａ、５７Ｂの各々で直前に描画した又は描画途中の１ストローク分の時間幅のうち、短い時間幅だけ再生対象時点を戻す。
【００７３】
基準時刻移動ボタン８５が押下された場合、処理部３４は、再生基準頁の再生開始時点、即ち、再生基準頁の最初のストロークを再生する直前の時点まで、再生対象時点を移動させる。従って、基準時刻移動ボタン８５は、頁移動切替ボタン８９がオフ状態の場合には、最初に戻るボタン８３と同一の機能となる。また、１ストローク進むボタン８６が押下された場合、処理部３４は、次に描画すべきストローク又は描画途中のストロークの描画が完了する時点まで再生対象時点を進める。なお、図１３に示すように複数の再生エリア５７（５７Ａ、５７Ｂ）が存在する場合には、処理部３４は、再生エリア５７Ａ、５７Ｂの各々で次に描画すべきストローク又は描画途中のストロークの描画が完了する時点のうち、現在の再生対象時点に近い時点まで、再生対象時点を進める。また、最後へ進むボタン８７が押下された場合、処理部３４は、再生ポインタ８１が再生バー８０の右端位置になる時点まで、再生対象時点を戻す。
【００７４】
また、再生速度指定メニュー８８は、再生時の速度を指定するためのプルダウンメニューである。処理部３４は、再生速度指定メニュー８８で指定された倍速に従い、再生ポインタ８１を右に遷移させる速度を決定する。図１３の例では、再生速度指定メニュー８８により再生速度が「等倍」に指定されていることから、処理部３４は、実時間の経過速度と同じ速度により再生対象時点が進むように、再生ポインタ８１の位置を移動させる。
【００７５】
［再生処理の詳細］
次に、再生画面での再生処理についてさらに詳細に説明する。なお、以後では、受講者「太郎」は、解答用紙２Ａの第１頁〜第４頁に電子ペン１により所定の記入を行ったものとし、受講者「次郎」は、解答用紙２Ｂの第１頁〜第３頁に電子ペン１により所定の記入を行ったものとして説明を行う。
【００７６】
（１）再生対象受講者が一人の場合
一覧表示画面において、受講者「太郎」の解答用紙２Ａの第３頁のみを選択状態として再生画面表示ボタン６４を押下した場合について、図１４を参照して説明する。図１４（Ａ）は、受講者「太郎」が解答用紙２Ａの第１頁〜第４頁へ記入した期間における各頁への記入時間を示すグラフである。図１４（Ａ）の例では、受講者「太郎」は、まず、解答用紙２Ａの第１頁を対象に３０秒間記入を行い、次に、第２頁を対象に５０秒間記入を行い、さらに、第３頁を対象に４０秒間記入を行い、最後に第４頁に２０秒間記入を行っている。
【００７７】
ここで、まず、頁移動切替ボタン８９がオフ状態の場合の再生について説明する。図１４（Ｂ）は、頁移動切替ボタン８９がオフ状態の場合の再生対象期間を示すグラフである。
【００７８】
図１４（Ｂ）に示すように、この場合、処理部３４は、再生基準頁である解答用紙２Ａの第３頁に受講者「太郎」が電子ペン１により記入を行った４０秒間を再生対象期間に設定し、解答用紙２Ａの第３頁に対応する筆跡の再生を行う。従って、再生時に最初に戻るボタン８３が押下された場合には、処理部３４は、解答用紙２Ａの第３頁の再生開始時点、即ち、第３頁の最初のストロークを描画する直前の時点に再生対象時点を戻す。また、処理部３４は、最後へ進むボタン８７が押下された場合には、解答用紙２Ａの第３頁の再生終了時点、即ち、第３頁へ最後のストロークの描画が完了する時点に再生対象時点を進める。このように、頁移動切替ボタン８９がオフ状態の場合には、処理部３４は、ユーザにより指定された再生基準頁への筆跡のみを対象とした再生を行う。
【００７９】
次に、頁移動切替ボタン８９がオン状態の場合の再生について説明する。図１４（Ｃ）は、頁移動切替ボタン８９がオン状態の場合の再生対象期間を示すグラフである。
【００８０】
図１４（Ｃ）に示すように、この場合、処理部３４は、処理部３４は、再生対象受講者である受講者「太郎」が電子ペン１Ａにより記入した解答用紙２Ａの全頁を対象に再生を行う。
【００８１】
従って、この場合、処理部３４は、最初に再生ボタン８２が押下された場合には、再生基準頁である解答用紙２Ａの第３頁へ記入された最初のストロークから順に再生を行う。また、最初に戻るボタン８３が押下された場合には、処理部３４は、解答用紙２Ａの第１頁の再生開始時点、即ち、第１頁の最初のストロークを描画する直前の時点に再生対象時点を戻す。また、処理部３４は、最後へ進むボタン８７が押下された場合には、解答用紙２Ａの第４頁の再生終了時点、即ち第４頁の最後のストロークを描画する直後の時点に再生対象時点を進める。また、基準時刻移動ボタン８５が押下された場合、処理部３４は、再生基準頁である解答用紙２Ａの第３頁の再生開始時点まで、再生対象時点を移動させる。
【００８２】
（２）再生対象受講者が２人の場合
次に、一覧表示画面において、受講者「太郎」の解答用紙２Ａの第３頁と、受講者「次郎」の解答用紙２Ｂの第２頁とをそれぞれ選択状態として再生画面表示ボタン６４を押下した場合について、図１５を参照して説明する。図１５（Ａ）は、受講者「太郎」が解答用紙２Ａの第１頁〜第４頁へ記入した期間における各頁への記入時間と、受講者「次郎」が解答用紙２Ｂの第１頁〜第３頁へ記入した期間における各頁への記入時間とをそれぞれ示すグラフである。図１５（Ａ）に示すように、受講者「次郎」は、受講者「太郎」よりも１０秒遅れて解答用紙２Ｂの第１頁の記入を開始している。そして、受講者「次郎」は、解答用紙２Ｂの第１頁を対象に５０秒間記入を行い、第２頁を対象に８０秒間記入を行い、さらに、第３頁を対象に４０秒間記入を行っている。
【００８３】
ここで、まず、頁移動切替ボタン８９がオフ状態の場合の再生について説明する。図１５（Ｂ）は、頁移動切替ボタン８９がオフ状態の場合の再生対象期間を示すグラフである。
【００８４】
図１５（Ｂ）に示すように、この場合、処理部３４は、再生基準頁である解答用紙２Ａの第３頁への筆跡と、解答用紙２Ｂの第２頁への筆跡を対象に再生を行う。また、この場合、図１５（Ｂ）に示すように、処理部３４は、再生基準頁である解答用紙２Ａの第３頁の再生開始時点と、同じく再生基準頁である解答用紙２Ｂの第２頁の再生開始時点とを一致させる。即ち、処理部３４は、解答用紙２Ａの第３頁への筆跡の最初のストロークを再生するタイミングと、解答用紙２Ｂの第２頁への筆跡の最初のストロークを再生するタイミングとを同期させる。言い換えると、処理部３４は、図１５（Ａ）に示す受講者「太郎」の解答用紙２Ａへの記入時間を示すグラフが２０秒分だけ左にシフトするように、受講者「太郎」の解答用紙２Ａへの筆跡の再生タイミングを相対的に２０秒だけ早くする。これにより、処理部３４は、各再生基準頁への記入時刻の違いに基づき、どちらかの再生基準頁への筆跡の再生が延々と行われなくなるのを好適に防ぐことができる。
【００８５】
また、再生時に最初に戻るボタン８３が押下された場合には、図１５（Ｂ）に示すように、処理部３４は、解答用紙２Ａの第３頁への筆跡の再生開始時点、即ち、解答用紙２Ｂの第２頁の再生開始時点に再生対象時点を戻す。また、処理部３４は、最後へ進むボタン８７が押下された場合には、記入時間が長い方の再生基準頁である解答用紙２Ｂの第２頁の再生終了時点に再生対象時点を進める。
【００８６】
次に、頁移動切替ボタン８９がオン状態の場合の再生について説明する。図１５（Ｃ）は、頁移動切替ボタン８９がオン状態の場合の再生対象期間を示すグラフである。
【００８７】
図１５（Ｃ）に示すように、この場合、処理部３４は、再生対象受講者「太郎」が電子ペン１Ａにより記入した解答用紙２Ａの全頁と、同じく再生対象受講者「次郎」が電子ペン１Ｂにより記入した解答用紙２Ｂの全頁とを対象に再生を行う。
【００８８】
また、処理部３４は、頁移動切替ボタン８９がオフ状態の場合と同様、再生基準頁である解答用紙２Ａの第３頁の再生開始時点と、同じく再生基準頁である解答用紙２Ｂの第２頁の再生開始時点とを一致させている。従って、処理部３４は、再生ボタン８２が押下された場合には、再生基準頁である解答用紙２Ａの第３頁へ記入された最初のストロークの再生と、同じく再生基準頁である解答用紙２Ｂの第２頁へ記入された最初のストロークの再生を同時に開始する。
【００８９】
また、最初に戻るボタン８３が押下された場合、図１５（Ｃ）に示すように、処理部３４は、解答用紙２Ａ、２Ｂの全頁のうち、再生開始時点が最も早い解答用紙２Ａの第１頁の再生開始時点に、再生対象時点を戻す。また、処理部３４は、最後へ進むボタン８７が押下された場合、解答用紙２Ａ、２Ｂの全頁のうち、再生終了時点が最も遅い解答用紙２Ａの第１頁の再生終了時点に、再生対象時点を進める。また、基準時刻移動ボタン８５が押下された場合、処理部３４は、図１５（Ｃ）に示すように、再生基準頁である解答用紙２Ａの第３頁及び解答用紙２Ｂの第２頁の再生開始時点まで、再生対象時点を移動させる。
【００９０】
［第１実施形態の表示システムによる作用効果］
第１実施形態の表示システムによれば、講師用端末４は、各受講者用端末３が電子ペン１から受信した記入情報に基づくストローク情報を受信すると共に、要求に応じて他者筆跡情報を受講者用端末３に送信する。そして、各受講者用端末３と講師用端末４とは、使用者である受講者や講師の操作に応じて、解答用紙２への筆跡を表示するための筆跡表示ウィンドウの表示制御を、互いに独立して行う。この態様により、各受講者は、受講者用端末３を操作して、自らの意思により筆跡表示ウィンドウ上で解答用紙２への筆跡を容易に確認することが可能となる。また、本実施形態の表示システムによれば、各受講者は、好適に、他の受講者の解答内容を筆跡表示ウィンドウ上で閲覧することもできる。
【００９１】
さらに、受講者用端末３は、ユーザにより指定された１又は複数の再生基準頁の筆跡を再生画面上で再生する。これにより、各受講者は、再生したい解答用紙２の頁を指定することで、当該頁の筆跡を個別に又は並べて再生させることができる。また、受講者用端末３は、再生画面上に頁移動切替ボタン８９を設けことで、再生基準頁の筆跡のみを再生する場合と、再生対象受講者が解答用紙２に記入した全筆跡を対象に再生する場合とを、ユーザの操作に基づき適宜切り替えることができる。さらに受講者用端末３は、各再生基準頁の再生開始時点を一致させることで、どちらかの再生基準頁への筆跡の再生が延々と行われなくなるのを好適に防ぐことができる。
【００９２】
［変形例］
次に、上述の第１実施形態の変形例について説明する。以下の変形例は、任意に組み合わせて上述の実施形態に適用してもよい。
【００９３】
（変形例１）
図１の構成例では、各受講者につき１本の電子ペン１及び１台の受講者用端末３が割り当てられていた。しかし、本発明が適用可能な表示システムの態様は、図１に示す構成に限定されない。
【００９４】
図１６（Ａ）〜（Ｃ）は、本発明に適用可能な受講者、電子ペン１、解答用紙２、及び受講者用端末３の割り当ての例を示す。図１６（Ａ）は、図１と同様、各受講者につき１本の電子ペン１及び１台の受講者用端末３が割り当てられる例を示す。また、図１６（Ｂ）は、各受講者につき１本の電子ペン１が割り当てられ、かつ、複数の受講者で受講者用端末３を共有する例を示す。さらに、図１６（Ｃ）は、複数の受講者で電子ペン１及び受講者用端末３を共有する例を示す。
【００９５】
（変形例２）
表示システムは、各受講者用端末３Ａが生成したストローク情報を蓄積して保存（即ちアーカイブ）するためのサーバをさらに備えてもよい。図１７は、本変形例に係る表示システムの構成例を示す。図１７に示す表示システムは、サーバ装置６を備える。サーバ装置６は、受講者用端末３から講師用端末４へ送信される全てのストローク情報を、転送装置５を介して受講者用端末３から受信し、記憶する。この態様により、表示システムは、生成されたストローク情報を好適に保存することができる。
【００９６】
（変形例３）
図１に示す表示システムは、受講者用端末３と、教師用端末４とをそれぞれ有していた。しかし、本発明が適用可能な表示システムの構成は、これに限定されない。
【００９７】
これに代えて、表示システムは、複数の電子ペン１と、表示用の端末装置とを有する構成であってもよい。この場合であっても、端末装置は、受講者用端末３と同様、一覧表示画面において、各電子ペン１から送信された記入情報に基づき筆跡を描画した解答用紙２の頁の一覧を表示する。そして、端末装置は、一覧表示画面で指定された１又は複数の解答用紙２の頁を再生基準頁として再生画面に表示し、再生画面上に再生基準頁の筆跡を再生する。この場合、端末装置は、本発明における「筆跡再生装置」として機能する。
【００９８】
他の例では、表示システムは、電子ペン１を有さず、各受講者のストローク情報等を記憶するサーバ装置と、再生表示用の端末装置とを有する構成であってもよい。この場合であっても、端末装置は、受講者用端末３と同様、サーバ装置から受信したストローク情報に基づき、一覧表示画面や再生画面の表示を行う。
【００９９】
（変形例４）
受講者用端末３の処理部３４は、再生対象期間の始期及び終期を指定するためのつまみを再生バー８０上に表示させ、当該つまみの位置により定まる期間内の筆跡のみを抽出して表示及び再生を行ってもよい。
【０１００】
図１８は、本変形例に係る再生画面の表示例を示す。図１８に示すように、処理部３４は、再生バー８０上に、再生対象期間の始期を指定するための第１つまみ８１０と、再生対象期間の終期を指定するための第２つまみ８１１と、第１つまみ８１０及び第２つまみ８１１による指定を有効にするための切り抜きボタン９０とを表示させている。第１つまみ８１０と、第２つまみ８１１とは、それぞれ、指によるドラッグ操作により、再生バー８０に沿ってスライド自在である。
【０１０１】
そして、図１８に示すように、ユーザは、第１つまみ８１０と第２つまみ８１１とを所望の位置に移動させ、その後に、切り抜きボタン９０を押下する。この場合、処理部３４は、第１つまみ８１０により指定された時点を始期とし、第２つまみ８１１とにより指定された時点を終期とする期間を、新たな再生対象期間（「切り抜き再生対象期間」とも呼ぶ。）とみなす。その結果、図１８の例では、処理部３４は、再生エリア５７Ａ、５７Ｂにおいて、切り抜き再生対象期間に対応する筆跡のみを表示し、切り抜き再生対象期間に対応しない筆跡を非表示にしている。そして、処理部３４は、再生ボタン８２等が押下され、再生を行う場合であっても、切り抜き再生対象期間に対応する筆跡を対象に再生を行う。これにより、各受講者は、再生対象期間を好みに応じて限定することができる。
【０１０２】
なお、上述の例に代えて、処理部３４は、切り抜きボタン９０の押下の有無にかかわらず、第１つまみ８１０及び第２つまみ８１１の位置に応じて、切り抜き再生対象期間を動的に定め、切り抜き再生対象期間に対応する筆跡のみを表示してもよい。この場合、第１つまみ８１０が右方向に移動した場合、又は第２つまみ８１１が左方向に移動した場合、処理部３４は、切り抜き再生対象期間に対応しなくなった筆跡の表示を即時に消去する。
【０１０３】
また、上述の例では、処理部３４は、第１つまみ８１０及び第２つまみ８１１への操作に基づき指定された切り抜き再生対象期間に対応する筆跡のみを表示し、切り抜き再生対象期間に対応しない筆跡を非表示にした。これに代えて、処理部３４は、指定された切り抜き再生対象期間に対応する筆跡と、切り抜き再生対象期間に対応しない筆跡とで線種（太さや色など）を異ならせてもよい。この場合、好適には、処理部３４は、指定された切り抜き再生対象期間に対応する筆跡を、切り抜き再生対象期間に対応しない筆跡より目立つようにするとよい。
【０１０４】
（変形例５）
上記実施形態において、電子ペン、ドットパターン（コード化パターン）、記入情報に、アノト方式を用いたが、アノト方式に限られなくともよい。また、ドットパターン（コード化パターン）も、位置座標を示すものに限られず、アイコンを識別するためのコード値や、関連付けエリアを識別するためのコード値を示すものであってもよい。
【０１０５】
また、表示システムは、コード化パターンが印刷された用紙を読み取る電子ペン１に代えて、筆記中にペン先から赤外線（光）と超音波（音）を同時に発信する電子ペンを備えてもよい。この場合、受講者用端末３は、当該電子ペンから赤外線及び超音波を受信し、赤外線を受信してから超音波を受信するまでの時間に基づきペン先の動きを割り出してストローク情報を生成し、当該ストローク情報に基づき所定の表示を行う。
【０１０６】
＜第２実施形態＞
第２実施形態では、受講者用端末３の処理部３４は、再生対象期間内での未記入期間を自動的に除外して再生を行う点で、第１実施形態と異なる。その他、第１実施形態と同様の部分については、適宜同一の符号を付し、その説明を省略する。
【０１０７】
図１９（Ａ）は、第１実施形態の図１４（Ａ）に示す受講者「太郎」の解答用紙２Ａへの記入時間を示すグラフにおいて、未記入期間、即ち電子ペン１が記入情報を生成していない期間を斜線領域により示したものである。
【０１０８】
処理部３４は、ストローク情報及び他者筆跡情報に含まれる時刻情報に基づき、記入者である受講者ごとに、解答用紙２上での筆跡を表す各ストロークの書き終わりから次のストロークの書き始めまでの間の期間を算出する。そして、処理部３４は、算出した期間の長さが所定秒（ここでは「２秒」とする。）以上となる期間を、未記入期間であると認識する。図１９（Ａ）の例では、処理部３４は、上述の処理の結果、解答用紙２Ａの第１頁の記入期間の最後の３秒間、第２頁の記入期間の途中の１０秒間及び最後の２秒間、及び第３頁の記入期間の４秒間を、それぞれ未記入期間として認識する。
【０１０９】
そして、処理部３４は、認識した未記入期間を除外した期間を対象に、筆跡の再生を行う。ここで、まず、再生対象受講者が受講者「太郎」一人の場合の再生について、図１９（Ｂ）、（Ｃ）を用いて説明する。
【０１１０】
図１９（Ｂ）は、頁移動切替ボタン８９がオフ状態の場合の、未記入期間を除外した再生対象期間を示すグラフである。なお、図１９（Ｂ）では、解答用紙２Ａの第３頁が再生基準頁に設定されている。
【０１１１】
図１９（Ｂ）に示すように、処理部３４は、この場合、再生基準頁である解答用紙２Ａの第３頁の記入期間（４０秒）のうち、４秒間の未記入期間を除外した３６秒間を、再生対象期間として認識する。これにより、処理部３４は、不要な未記入期間を除外して解答用紙２Ａの第３頁の筆跡の再生を好適に行うことができる。なお、最初に戻るボタン８３や最後へ進むボタン８７が押下された場合、第１実施形態の図１４（Ｂ）の例と同様、再生対象時点は、再生基準頁の再生開始時点又は再生終了時点に遷移する。
【０１１２】
次に、再生対象受講者が一人、かつ、頁移動切替ボタン８９がオン状態の場合の再生について説明する。図１９（Ｃ）は、図１９（Ｂ）の例で頁移動切替ボタン８９がオフ状態となった場合の再生対象期間を示すグラフである。
【０１１３】
この場合、処理部３４は、再生対象受講者「太郎」の解答用紙２Ａの全頁に対する記入期間のうち、図１９（Ａ）に示される斜線部分の未記入期間を除外した期間を、再生対象期間として認識する。その結果、再生対象期間は、上述の記入期間と比較して、１９秒間短縮されている。なお、最初に戻るボタン８３、基準時刻移動ボタン８５、最後へ進むボタン８７が押下された場合の再生対象時点の遷移は、第１実施形態の図１４（Ｃ）の例と同様である。
【０１１４】
次に、再生対象受講者が受講者「太郎」、「次郎」の二人の場合の再生について、図２０（Ａ）〜（Ｃ）を参照して説明する。
【０１１５】
図２０（Ａ）は、第１実施形態の図１５（Ａ）に示す再生対象受講者「太郎」及び「次郎」の解答用紙２の各頁への記入期間を示すグラフにおいて、未記入期間を斜線領域により示したものである。図２０（Ａ）では、処理部３４は、再生対象受講者「太郎」に対応する未記入期間を図１９（Ａ）の例と同様に認識すると共に、再生対象受講者「次郎」の解答用紙２Ｂの第１頁の記入期間の途中の１０秒間と、第３頁の記入期間の途中の５秒間とをそれぞれ未記入期間として認識する。
【０１１６】
ここで、まず、頁移動切替ボタン８９がオフ状態の場合について、図２０（Ｂ）を参照して説明する。図２０（Ｂ）は、図１９（Ａ）の例で解答用紙２Ａの第３頁及び解答用紙２Ｂの第２頁を再生基準頁とした場合での未記入期間を除外した再生対象期間を示すグラフである。処理部３４は、この場合、再生基準頁である解答用紙２Ａの第３頁の記入期間のうち、４秒間の未記入期間を除外した３６秒間を、解答用紙２Ａの第３頁の再生対象期間として認識する。なお、もう一方の再生基準頁である解答用紙２Ｂの第２頁の記入期間には、未記入期間が存在しないため、処理部３４は、解答用紙２Ｂの第２頁の再生対象期間の短縮を行わない。
【０１１７】
さらに、処理部３４は、未記入期間の除外後、再生基準頁である解答用紙２Ａの第３頁の再生開始時点と、同じく再生基準頁である解答用紙２Ｂの第２頁の再生開始時点とを一致させる。これにより、処理部３４は、各再生基準頁への記入時刻の違いに基づき、どちらかの再生基準頁の筆跡の再生が延々と行われなくなるのを好適に防ぐことができる。
【０１１８】
なお、最初に戻るボタン８３が押下された場合、図２０（Ｂ）に示すように、処理部３４は、解答用紙２Ａの第３頁の再生開始時点、即ち解答用紙２Ｂの第２頁の再生開始時点に再生対象時点を戻す。また、処理部３４は、最後へ進むボタン８７が押下された場合、再生対象期間が長い再生基準頁である解答用紙２Ｂの第２頁の再生終了時点に再生対象時点を進める。
【０１１９】
図２０（Ｃ）は、図２０（Ｂ）の例で頁移動切替ボタン８９がオン状態の場合を示す。図２０（Ｂ）に示すように、この場合、処理部３４は、各再生対象受講者の解答用紙２の全頁に対する記入期間に対し、図２０（Ａ）に示される斜線部分の未記入期間を除外した期間を、各再生対象受講者に対する再生対象期間として認識する。その結果、処理部３４は、再生対象受講者「太郎」の解答用紙２Ａへの記入期間のうち、未記入期間（合計１９秒間分）を除外した期間を除外した期間を、再生対象受講者「太郎」の再生対象期間として認識する。また、処理部３４は、再生対象受講者「次郎」の解答用紙２Ｂへの記入期間のうち、未記入期間（合計１５秒間分）を除外した期間を除外した期間を、再生対象受講者「次郎」の再生対象期間として認識する。
【０１２０】
さらに、処理部３４は、頁移動切替ボタン８９がオフ状態の場合と同様、再生基準頁である解答用紙２Ａの第３頁の再生開始時点と、同じく再生基準頁である解答用紙２Ｂの第２頁の再生開始時点とを一致させる。従って、処理部３４は、再生ボタン８２が押下された場合には、再生基準頁である解答用紙２Ａの第３頁へ記入された最初のストロークの再生と、解答用紙２Ｂの第２頁へ記入された最初のストロークの再生を同時に開始する。
【０１２１】
また、最初に戻るボタン８３が押下された場合、処理部３４は、解答用紙２Ａ、２Ｂの全頁のうち、再生開始時点が最も早い解答用紙２Ａの第１頁の再生開始時点に、再生対象時点を戻す。また、処理部３４は、最後へ進むボタン８７が押下された場合、解答用紙２Ａ、２Ｂの全頁のうち、再生終了時点が最も遅い解答用紙２Ｂの第３頁の再生終了時点に、再生対象時点を進める。また、基準時刻移動ボタン８５が押下された場合、処理部３４は、再生基準頁である解答用紙２Ａの第３頁の再生開始時点、即ち、解答用紙２Ｂの第２頁の再生開始時点に、再生対象時点を移動させる。
【０１２２】
［第２実施形態の表示システムによる作用効果］
第２実施形態の表示システムによれば、受講者用端末３は、再生対象期間内での未記入期間を認識し、当該期間を除外して再生を行う。これにより、受講者の解答内容の作成過程をユーザが再生画面で確認する場合に、不必要な再生時間を削減し、ユーザの利便性を高めることができる。その他、第２実施形態に係る表示システムは、第１実施形態に係る表示システムと同様の作用効果を奏する。
【０１２３】
［変形例］
次に、第２実施形態の変形例について説明する。第２実施形態では、第１実施形態の変形例１〜５に加え、又はこれに代えて、以下の変形例６〜８を適用可能である。
【０１２４】
（変形例６）
第２実施形態では、表示システムは、１人の受講者による筆跡を再生するものであってもよい。この場合、例えば、表示システムは、１台の受講者用端末３と、１本の電子ペン１と、一組の解答用紙２とを有する。そして、受講者用端末３は、当該電子ペン１から受信した記入情報に基づく筆跡を再生する際に、再生対象期間内の未記入期間を認識し、当該未記入期間を再生対象期間から除外する。この態様であっても、不必要な再生時間を削減して、解答内容の作成過程をユーザに好適に確認させることができる。
【０１２５】
（変形例７）
図１９、２０の説明では、処理部３４は、所定秒以上記入がない空白期間を、未記入期間であると認識し、上述の所定秒を固定値（２秒）に設定していた。これに代えて、処理部３４は、上述の所定秒（「判断基準時間」とも呼ぶ。）を、記入者ごとに定めてもよい。
【０１２６】
この場合、好適には、処理部３４は、判断基準時間を自動的に決定する。例えば、処理部３４は、記入者ごとに、各ストロークの書き終わりから次のストロークの書き始めまで期間である空白期間の平均値を算出する。さらに、処理部３４は、記入者ごとに算出した平均値から所定秒以上離れた空白期間を外れ値として除外し、それ以外の空白期間の平均値を記入者ごとに算出する。そして、処理部３４は、記入者ごとに外れ値を除外して算出した平均値を、各記入者の判断基準時間として認識する。これにより、処理部３４は、記入者ごとに記入する速度が異なる場合であっても、好適に、記入者ごとに、判断基準時間を設定することができる。他の例では、処理部３４は、ユーザ入力に基づき、各記入者に対応する判断基準時間を設定してもよい。
【０１２７】
（変形例８）
処理部３４は、認識した未記入期間を除外して再生を行う代わりに、認識した未記入時間を短縮するなどして変更してもよい。例えば、処理部３４は、認識した未記入期間を、判断基準時間の長さまで短縮する。この場合、変形例７で説明したように、判断基準時間が記入者ごとに設定される場合には、処理部３４は、記入者ごとに異なる時間長まで、各未記入期間を短縮する。
【符号の説明】
【０１２８】
１、１Ａ〜１Ｅ…電子ペン
２、２Ａ〜２Ｅ…解答用紙
３、３Ａ〜３Ｅ…受講者用端末
４…講師用端末
５…転送装置
６…サーバ装置
【図１】
2015102886.tif 000003
【図２】
2015102886.tif 000004
【図３】
2015102886.tif 000005
【図４】
2015102886.tif 000006
【図５】
2015102886.tif 000007
【図６】
2015102886.tif 000008
【図７】
2015102886.tif 000009
【図８】
2015102886.tif 000010
【図９】
2015102886.tif 000011
【図１０】
2015102886.tif 000012
【図１１】
2015102886.tif 000013
【図１２】
2015102886.tif 000014
【図１３】
2015102886.tif 000015
【図１４】
2015102886.tif 000016
【図１５】
2015102886.tif 000017
【図１６】
2015102886.tif 000018
【図１７】
2015102886.tif 000019
【図１８】
2015102886.tif 000020
【図１９】
2015102886.tif 000021
【図２０】
2015102886.tif 000022